【事件の表示】
　特願２００５−１９９１１１号「遊技機」拒絶査定不服審判事件〔平成１９年１月２５日出願公開、特開２００７−１４５４６号〕について、次のとおり審決する。
【結　論】
　本件審判の請求は、成り立たない。
【理　由】
第１　手続の経緯の概要
　本件に係る出願（以下「本願」という。）は、平成１７年７月７日の特許出願であって、平成２３年６月６日付けで拒絶査定がなされ（発送日：同年６月７日）、これに対し、同年８月２９日に拒絶査定不服審判の請求がなされるとともに、その審判の請求と同時に手続補正がなされたものである。
　
第２　平成２３年８月２９日付け手続補正についての補正却下の決定
［補正却下の決定の結論］
　平成２３年８月２９日付け手続補正（以下「本件補正」という。）を却下する。
　
［理由］
　１　本件補正発明
　本件補正は、特許請求の範囲の請求項１について、出願時に「複数個の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて前記各図柄列の変動表示を停止させ、前記複数の図柄列の変動停止後に前記表示部が前記抽選により当選した役に応じた表示状態となった場合に当該役を入賞とする遊技機であって、前記変動開始指示の入力に基づいて計時を開始する計時手段と、前記計時手段による計時時間が予め設定された時間を超えた場合に、前記抽選結果に拘らず前記変動停止後の前記表示部が何れの役にも入賞しない表示状態となるように前記図柄列の変動表示を前記変動停止指示によらず強制的に停止させる強制停止手段と、前記変動開始指示が入力されてから前記計時手段による計時時間が予め設定された時間を超えるまでの間に前記複数の図柄列のうちの少なくとも何れか１つが変動表示を停止した場合に、変動表示を停止した図柄列の停止位置と前記役に応じた表示状態とに基づいて入賞が確定しているか否かを判定する判定手段と、前記判定手段により入賞が確定していると判定された場合に、変動表示中の図柄列についての前記強制停止手段による前記変動表示の強制停止を禁止する禁止手段と、を備えた遊技機。」とあったものを「複数個の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて前記各図柄列の変動表示を停止させ、前記複数の図柄列の変動停止後に前記表示部が前記抽選により当選した役に応じた表示状態となった場合に当該役を入賞とする遊技機であって、前記変動開始指示の入力に基づいて計時を開始する計時手段と、前記計時手段による計時時間が予め設定された時間を超えた場合に、前記抽選結果に拘らず前記変動停止後の前記表示部が何れの役にも入賞しない表示状態となるように前記図柄列の変動表示を前記変動停止指示によらず強制的に停止させる強制停止手段と、前記変動開始指示が入力されてから前記計時手段による計時時間が予め設定された時間を超えるまでの間に前記複数の図柄列のうちの少なくとも何れか１つが変動表示を停止した場合に、変動表示を停止した図柄列の停止位置と前記役に応じた表示状態とに基づいて入賞が確定しているか否かを判定する判定手段と、前記判定手段により入賞が確定していると判定された場合に、変動表示中の図柄列についての前記強制停止手段による前記変動表示の強制停止を禁止する
と共に、前記複数の図柄列のうちのいずれか１つの図柄列を除く他の図柄列が前記判定手段により入賞が確定していると判定されることなく変動表示を停止し、前記１つの図柄列の変動表示が継続している場合に、前記変動表示が継続している１つの図柄列をいずれの位置で停止させてもいずれかの役の入賞が確定し入賞を回避することが不可能と前記判定手段により判定された場合にも当該変動表示中の図柄列についての前記強制停止手段による前記変動表示の強制停止を禁止する
　上記補正について検討する。
　本件補正後の特許請求の範囲の請求項１に記載された発明は、禁止手段による強制停止を禁止する場合について、「
複数の図柄列のうちのいずれか１つの図柄列を除く他の図柄列が前記判定手段により入賞が確定していると判定されることなく変動表示を停止し、前記１つの図柄列の変動表示が継続している場合に、前記変動表示が継続している１つの図柄列をいずれの位置で停止させてもいずれかの役の入賞が確定し入賞を回避することが不可能と前記判定手段により判定された場合
　そこで、本件補正後の特許請求の範囲の請求項１に記載された発明（以下「本件補正発明」という。）が特許出願の際独立して特許を受けることができるものであるか（改正前特許法第１７条の２第５項において準用する同法第１２６条第５項の規定に適合するか）否かについて検討する。
　
　２　先願発明
　原査定の拒絶の理由で引用された、本願の出願の日前の他の特許出願であって、その出願後に出願公開がされた特願２００５−４３２２３号（特開２００６−２２３６８７号公報参照。以下「先願」という。）の願書に最初に添付した明細書又は図面（以下「先願明細書」という。）には、「スロットマシン」に関して次の事項が図面とともに記載されている。  
　　ア　「１ゲームに対して所定数の賭数を設定することによりゲームを開始させることが可能となり、複数の可変表示部のそれぞれにおいて各々が識別可能な複数種類の識別情報を変動表示させる可変表示装置に表示結果が導出されることにより１ゲームが終了し、該可変表示装置に導出された表示結果に応じて入賞が発生可能であるスロットマシンにおいて、
  前記可変表示装置の表示結果が導出される前に、前記入賞を発生させる入賞表示結果を導出させることを許容するか否かを抽選により決定する事前決定手段と、
  前記複数の可変表示部にそれぞれ対応して設けられ、遊技者の操作により、前記識別情報の変動表示を停止させることを指示する複数の停止操作手段と、
  前記複数の停止操作手段の操作をそれぞれ検出する停止操作検出手段と、
  少なくとも前記複数の可変表示部において変動表示を開始させるための所定の変動開始条件が成立した以降に成立可能な計時開始条件が成立してから経過した時間を計測する計時手段と、
  前記複数の可変表示部における変動表示を制御する手段であって、
    前記所定の変動開始条件が成立したときに、前記複数の可変表示部においてそれぞれ識別情報の変動表示を開始させる変動開始制御手段と、
    前記
計時手段が所定の時間を計時したときにおいて全ての可変表示部における変動表示が未だ停止していないときに、該全ての可変表示部における変動表示を停止させて前記事前決定手段の決定結果に関わらずに前記入賞表示結果とは異なる表示結果を導出させる全停止制御手段
    前記計時手段が前記所定の時間を計時したときにおいて一部の可変表示部のみの変動表示が既に停止し、且つ他の可変表示部の変動表示が未だ停止していないときに、該他の可変表示部における変動表示の停止により前記入賞表示結果とは異なる表示結果を導出できるか否かを判定し、該判定の結果により前記入賞表示結果を導出できるときに、前記他の可変表示部における変動表示を停止させて前記事前決定手段の決定結果に関わらずに前記入賞表示結果とは異なる表示結果を導出させる残停止制御手段と、
    前記計時手段が前記所定の時間を計時したときにおいて一部の可変表示部のみの変動表示が既に停止し、且つ他の可変表示部の変動表示が未だ停止していないときに、該他の可変表示部における変動表示の停止により前記入賞表示結果とは異なる表示結果を導出できるか否かを判定し、該判定の結果により前記入賞表示結果を導出できないときに、前記他の可変表示部における変動表示を、前記操作停止制御手段により変動表示が停止されるまで継続させる変動継続手段と、
    前記計時手段が前記所定の時間を計時したか否かに関わらず前記停止操作検出手段が何れかの停止操作手段の操作を検出したときに、該操作を検出した停止操作手段に対応した可変表示部における識別情報の変動表示を前記事前決定手段の決定結果に応じて停止させる操作停止制御手段と
を含む変動表示制御手段と
  を備えることを特徴とするスロットマシン。」（【特許請求の範囲】）
　　イ　「【技術分野】
　本発明は、スロットマシンに関し、特に変動表示の開始後の計時開始から所定の時間が経過したときの可変表示装置における識別情報の変動表示の制御に関する。」（段落【0001】） 
　　ウ　「【発明が解決しようとする課題】
　上記したようにスロットマシンにおいて可変表示装置を構成するリールの回転は、所定の時間を経過したときに自動停止されるものとなる。ここで特許文献１のように、リールの回転が自動停止されるときであっても当選フラグの設定状況に応じて表示結果を導出させてしまうと、偶然性のみの要素によって入賞が発生してしまうこともある。これは、遊技者の技術介入で偶然性により入賞が発生するのを抑えて射倖性の抑制を担保するという目的からすると、決して好ましい状態ではなかった。また、特許文献２では、基準時間を過ぎると遊技者が如何に停止ボタンを操作しても入賞し得なくなってしまうので、遊技者の不利益が大きくなり過ぎ、遊技者に不信感を感じさせてしまうことがあった。
　本発明は、遊技者の技術介入による射倖性の抑制を担保しつつ、稼働率の低下を極力招かないようにすることのできるスロットマシンを提供することを目的とする。」（段落【0007】〜【0008】）
　　エ　「図１は、この実施の形態にかかるスロットマシンの全体構造を示す正面図である。
スロットマシン１
可変表示装置２が設けられている。可変表示装置２の内部には
３つのリール３Ｌ、３Ｃ、３Ｒから構成されるリールユニット３が設けられている
　
リール３Ｌ、３Ｃ、３Ｒ
には
複数種類の図柄が所定の順序で描かれている
　　オ　「その台状部分の垂直面には、スタートレバー１１と、停止ボタン１２Ｌ、１２Ｃ、１２Ｒとが設けられている。スタートレバー１１は、ゲームを開始する際に遊技者が操作するもので、その操作がスタートスイッチ４１（図２参照）によって検出されると、リール駆動モータ３ＭＬ、３ＭＣ、３ＭＲが駆動開始され、リール３Ｌ、３Ｃ、３Ｒが回転開始する。リール３Ｌ、３Ｃ、３Ｒが回転開始した後所定の条件が成立することにより停止ボタン１２Ｌ、１２Ｃ、１２Ｒの操作が可能となると、その内部に備えられた操作有効ランプ６３Ｌ、６３Ｃ、６３Ｒ（図２参照）が点灯状態となって、その旨が遊技者に示される。
　停止ボタン１２Ｌ、１２Ｃ、１２Ｒは、それぞれ遊技者が所望のタイミングでリール３Ｌ、３Ｃ、３Ｒの回転を停止させるべく操作するボタンであり、その操作がストップスイッチ４２Ｌ、４２Ｃ、４２Ｒ（図２参照）で検出されると、リール３Ｌ、３Ｃ、３Ｒの回転が停止される。停止ボタン１２Ｌ、１２Ｃ、１２Ｒの操作から対応するリール３Ｌ、３Ｃ、３Ｒの回転を停止するまでの最大停止遅延時間は１９０ミリ秒である。リール３Ｌ、３Ｃ、３Ｒは、１分間に８０回転し、８０×２１（１リール当たりの図柄コマ数）＝１６８０コマ分の図柄を変動させるので、１９０ミリ秒の間では最大で４コマの図柄を引き込むことができることとなる。つまり、停止図柄として選択可能なのは、停止ボタン１２Ｌ、１２Ｃ、１２Ｒが操作されたときに表示されている図柄と、そこから４コマ先までにある図柄、合計５コマ分の図柄である。」（段落【0057】〜【0058】）
　　カ　「以下、
内部抽選
　　キ　「次に、リール３Ｌ、３Ｃ、３Ｒの停止制御について説明する。前述したように、リール３Ｌ、３Ｃ、３Ｒの回転は、停止ボタン１２Ｌ、１２Ｃ、１２Ｒを操作したときから１９０ミリ秒の最大停止遅延時間の範囲で、すなわち４コマ以内の引き込み範囲で停止される。リール３Ｌ、３Ｃ、３Ｒの停止時における引き込み範囲が４コマなので、停止可能な図柄は、停止ボタン１２Ｌ、１２Ｃ、１２Ｒの操作時に表示されている図柄と、次の４コマの範囲にある図柄の中から選ばれることとなる。
　以下の説明において、リール３Ｌ、３Ｃ、３Ｒが停止される順番に応じて、第１リール（１番目に停止）、第２リール（２番目に停止）、第３リール（３番目に停止）と呼ぶものとする。停止すべき図柄は、当選フラグの設定状況に応じて選択されるものであり、停止ボタン１２Ｌ、１２Ｃ、１２Ｒの操作によりリール３Ｌ、３Ｃ、３Ｒを停止させる場合には、各ゲームにおいて設定された有効ライン上に４コマの引き込み範囲で当選している役の図柄を揃えて停止させることができれば、これを揃えて停止させる。当選していない役の図柄は、４コマの引き込み範囲でハズシて停止させる。
　また、
リール３Ｌ、３Ｃ、３Ｒの回転は、回転開始して一定速度に達し、基準位置が検出されたときに計時開始されるリール停止タイマの計時する時間が３０秒に達する
　これに対して、リール停止タイマの計時する時間が３０秒に達したときに、リール３Ｌ、３Ｃ、３Ｒのうちの一部でも停止ボタン１２Ｌ、１２Ｃ、１２Ｒの操作により既に停止させられ、該停止リールに導出されている図柄が小役ハズレ目、禁止目、「チェリー」の小役を構成するものであれば、ハズレの表示態様を導出できないか、導出できても演出として好ましくない結果を招く虞があるので、遊技者が停止ボタン１２Ｌ、１２Ｃ、１２Ｒの全てを操作するまで自動的に停止させられることはなく、回転が継続される。
　次に、上記した小役ハズレ目について説明する。小役ハズレ目とは、一部のリールの回転を停止したときに、既に停止されたリールについて導出された図柄のみによってほぼ１００％の確率で小役またはリプレイの入賞が約束されているが、残りのリールの回転も停止したときに可変表示装置２の表示結果がハズレとなることがあれば、それはレギュラーボーナス当選フラグ、ビッグボーナス（１）当選フラグ、またはビッグボーナス（２）当選フラグのいずれかが設定されていることを示す表示態様のことである。」（段落【0112】〜【0116】）
　　ク　「ここで、残りのリールの回転が自動停止されるときに可変表示装置２の表示結果をハズレとしてしまうと、小役ハズレ目ということでレギュラーボーナス当選フラグ、ビッグボーナス（１）当選フラグ、またはビッグボーナス（２）当選フラグが設定されていたものと勘違いされてしまうことになりかねない。そこで、第１または第２リールまでに導出された図柄が小役ハズレ目を構成しているときには、残りのリールが自動停止されないよう制御されるものとなる。
　小役またはベルの当選フラグが設定されていないときに第１または第２リールまでに導出された図柄が小役ハズレ目を構成している場合、ここでは必ずレギュラーボーナス当選フラグ、ビッグボーナス（１）当選フラグ、またはビッグボーナス（２）当選フラグが設定されているということとなるので、このような重要な報知が遊技者の技術介入なしになされないようにするため、残りのリールが自動停止されないよう制御されるものとなる。
　次に、禁止目について説明する。
禁止目とは
入賞となる役の表示態様の導出を回避するような図柄の選択ができなくなってしまう場合が生じる表示態様である
　もっとも、禁止目の対象となる役（例えば、図７（ａ）の例では、「ベル」の小役、「チェリー」の小役、及びリプレイ）の当選フラグが設定されていれば、第２リールまでが停止ボタン１２Ｌ、１２Ｃ、１２Ｒの操作で停止させられれば、図７（ａ）〜（ｆ）に示した禁止目が導出されることもある。これに対して、
第３リールとなる左のリール３Ｌの回転を自動停止させてしまうと、遊技者の停止操作がないのに入賞の表示結果が導出されてしまうことになってしまうので、リール停止タイマの計時する時間が３０秒となったときに禁止目が導出されていれば、残りのリールの自動停止させずに、回転を継続させるものとしている
　なお、ＲＯＭ１１３には、図７（ａ）〜（ｆ）に示した禁止目を示すデータが予め記憶されている。ＣＰＵ１１１は、禁止目の対象となる役の当選フラグが設定されていないときには、第２リールの停止制御を行うときに、ＲＯＭ１１３に記憶された禁止目のデータを参照して、既に停止している第１リールの図柄が禁止目を構成するかどうかを判定する。禁止目を構成する場合には、第２リールについて選択可能な各図柄が禁止目を導出させるものであるかどうかを判定する。そして、第２リールについて選択可能な図柄のうちで禁止目を導出させることのない図柄から停止させる図柄を選択するものとしている。
　また、リール停止タイマの計時する時間が３０秒を経過したときに、ＲＯＭ１１３に記憶された禁止目のデータを参照して、既に停止している第１、第２リール（ここでは、中と右のリール３Ｃ、３Ｒ）の図柄が禁止目を構成するかどうかを判定する。禁止目を構成する場合には、残りのリール（ここでは、左のリール３Ｌ）が自動停止されないよう制御されるものとなる。
　また、
リール停止タイマの計時する時間が３０秒を経過したときに、既に左のリール３Ｌが停止していて、上中下段のいずれかに「チェリー」が導出されていると、中と右のリール３Ｃ、３Ｒに如何なる図柄が導出されるかに関わらず、最終的な表示結果としては「チェリー」の小役に入賞ということとなる。これに対して、左のリール３Ｌの以外のリールの回転を自動停止させてしまうと、遊技者の停止操作がないのに入賞の表示結果が導出されてしまうことになってしまうので、リール停止タイマの計時する時間が３０秒となったときに左のリール３Ｌに「チェリー」が導出されていれば、残りのリールの自動停止させずに、回転を継続させる
　また、可変表示装置２の表示結果として、レギュラーボーナス当選フラグ、ビッグボーナス（１）当選フラグ、またはビッグボーナス（２）当選フラグが設定されているときには、これらの当選フラグが設定されていないときには導出されないリーチ目（入賞の観点ではハズレ）が導出されることがある。また、レギュラーボーナス当選フラグ、ビッグボーナス（１）当選フラグ、またはビッグボーナス（２）当選フラグが設定されているときには、これらの当選フラグが設定されていないときよりも高い確率で導出されるチャンス目（入賞の観点ではハズレ）が導出されることがある。さらに、いずれの役の当選フラグも設定されていないときには、いずれかの役の当選フラグが設定されているときには導出されないハズレ目が導出されることがある。
　
リール３Ｌ、３Ｃ、３Ｒの全ての回転が自動停止されるときには、可変表示装置２の表示結果をハズレとしなくてはならない
　　ケ　「ＢＥＴ処理により賭け数が設定され、
スタートレバー１１が操作されると
遊技状態に応じて定められた各役への入賞を許容するかどうかを決定する抽選処理を行う
　
抽選処理が終了すると、次にリール変動開始処理が行われる
可変表示装置２において図柄が変動表示される
　その後、リール変動停止処理が行われる（ステップＳ５）。リール変動停止処理では、リールの回転開始から所定の条件（回転速度が一定速度に達した後、リールセンサ３ＳＬ、３ＳＣ、３ＳＲにより基準位置を検出すること）が成立した後、
停止ボタン１２Ｌ、１２Ｃ、１２Ｒ
操作されることにより
リール３Ｌ、３Ｃ、３Ｒの回転を停止させる
　リール３Ｌ、３Ｃ、３Ｒの駆動がそれぞれ停止すると、その
停止時における表示態様において
いずれかの役図柄が導出表示されたかどうかを判定する入賞判定処理が行われる
入賞判定処理でいずれかの役に入賞したと判定される
　
　上記ア〜ケの記載事項及び図面の図示内容を総合勘案すると、先願明細書には、次の発明（以下「先願発明」という。）が記載されているものと認める。
　「複数種類の図柄が所定の順序で描かれている、３つのリール３Ｌ、３Ｃ、３Ｒから構成されるリールユニット３が内部に設けられ、図柄が変動表示される可変表示装置２が設けられ、
　スタートレバー１１の操作により遊技状態に応じて定められた各役への入賞を許容するかどうかを決定する内部抽選が行われ、内部抽選が終了するとリール変動開始処理が行われ、
　各停止ボタン１２Ｌ、１２Ｃ、１２Ｒの操作により各リール３Ｌ、３Ｃ、３Ｒの回転が停止され、
　停止時における表示態様が、いずれかの役図柄が導出表示されたと判定されるとき、入賞したと判定されるスロットマシン１であって、
　リール３Ｌ、３Ｃ、３Ｒが回転開始して一定速度に達し、基準位置が検出されたときに計時開始されるリール停止タイマと、
　計時手段が所定の時間を計時したときにおいて全ての可変表示装置２における変動表示が未だ停止していないときに、該全ての可変表示部における変動表示を停止させて、表示結果をハズレとする全停止制御手段と、
　リール停止タイマの計時する時間が３０秒となったときに左のリール３Ｌに「チェリー」が導出される場合、すなわち、リール停止タイマの計時する時間が３０秒を経過したときに、既に左のリール３Ｌが停止していて、上中下段のいずれかに「チェリー」が導出されていると、中と右のリール３Ｃ、３Ｒに如何なる図柄が導出されるかに関わらず、最終的な表示結果としては「チェリー」の小役に入賞ということとなる場合、左のリール３Ｌ以外のリールの回転を自動停止させてしまうと、遊技者の停止操作がないのに入賞の表示結果が導出されてしまうことになってしまうので、リール停止タイマの計時する時間が３０秒となったときに左のリール３Ｌに「チェリー」が導出されていれば、残りのリールを自動停止させずに、回転を継続させ、
　リール停止タイマの計時する時間が３０秒となったときに、第３リールとなる左のリール３Ｌの回転の自動停止により遊技者の停止操作がないのに入賞の表示結果が導出される場合、すなわち、入賞となる役の表示態様の導出を回避するような図柄の選択ができなくなる禁止目が導出されている場合、残りのリールを自動停止させずに、回転を継続させるものとしている
　スロットマシン１。」
　
　３　対比及び判断
　本件補正発明と先願発明とを対比する。　
　先願発明の「複数種類の図柄が所定の順序で描かれている、３つのリール３Ｌ、３Ｃ、３Ｒから構成されるリールユニット３が内部に設けられ、図柄が変動表示される可変表示装置２」は、その構成及び機能からみて、本件補正発明の「複数個の図柄を配列した複数の図柄列を変動表示可能な表示部」に相当し、以下同様に、
　「スタートレバー１１の操作により遊技状態に応じて定められた各役への入賞を許容するかどうかを決定する内部抽選が行われ、内部抽選が終了するとリール変動開始処理が行われ」ることは、「変動開始指示に応じて役の抽選を行うと共に表示部における図柄列の変動表示を開始」することに、
　「各停止ボタン１２Ｌ、１２Ｃ、１２Ｒの操作により各リール３Ｌ、３Ｃ、３Ｒの回転が停止され」ることは、「各図柄列に対してそれぞれ入力される変動停止指示に基づいて各図柄列の変動表示を停止させ」ることに、
　「停止時における表示態様が、いずれかの役図柄が導出表示されたと判定されるとき、入賞したと判定される」ことは、役が内部抽選により決定されることから、「複数の図柄列の変動停止後に表示部が抽選により当選した役に応じた表示状態となった場合に当該役を入賞とする」ことに、
　「スロットマシン１」は、「遊技機」に、
　「リール３Ｌ、３Ｃ、３Ｒが回転開始して一定速度に達し、基準位置が検出されたときに計時開始されるリール停止タイマ」は、「変動開始指示の入力に基づいて計時を開始する計時手段」に、
　「計時手段が所定の時間を計時したときにおいて全ての可変表示装置２における変動表示が未だ停止していないときに、該全ての可変表示部における変動表示を停止させて、表示結果をハズレとする全停止制御手段」は、「ハズレ」とは、いずれの役にも入賞しない状態であることから、「計時手段による計時時間が予め設定された時間を超えた場合に、抽選結果に拘らず変動停止後の表示部が何れの役にも入賞しない表示状態となるように図柄列の変動表示を変動停止指示によらず強制的に停止させる強制停止手段」に、
　「リール停止タイマの計時する時間が３０秒となったときに左のリール３Ｌに『チェリー』が導出される場合、すなわち、リール停止タイマの計時する時間が３０秒を経過したときに、既に左のリール３Ｌが停止していて、上中下段のいずれかに『チェリー』が導出されていると、中と右のリール３Ｃ、３Ｒに如何なる図柄が導出されるかに関わらず、最終的な表示結果としては『チェリー』の小役に入賞ということとなる場合」は、スロットマシン１内に具備された判定手段により、最終的な表示結果が『チェリー』の小役に入賞するものであるか否かの判定を行っていることは明らかであるから、「変動開始指示が入力されてから計時手段による計時時間が予め設定された時間を超えるまでの間に複数の図柄列のうちの少なくとも何れか１つが変動表示を停止した場合に、変動表示を停止した図柄列の停止位置と役に応じた表示状態とに基づいて入賞が確定しているか否かを判定する判定手段と、判定手段により入賞が確定していると判定された場合」に、
　「左のリール３Ｌ以外のリールの回転を自動停止させてしまうと、遊技者の停止操作がないのに入賞の表示結果が導出されてしまうことになってしまうので、リール停止タイマの計時する時間が３０秒となったときに左のリール３Ｌに『チェリー』が導出されていれば、残りのリールを自動停止させずに、回転を継続させ」ることは、「変動表示中の図柄列についての強制停止手段による変動表示の強制停止を禁止する」ことに、
　「リール停止タイマの計時する時間が３０秒となったときに、第３リールとなる左のリール３Ｌの回転の自動停止により遊技者の停止操作がないのに入賞の表示結果が導出される場合、すなわち、入賞となる役の表示態様の導出を回避するような図柄の選択ができなくなる禁止目が導出されている場合」は、「複数の図柄列のうちのいずれか１つの図柄列を除く他の図柄列が判定手段により入賞が確定していると判定されることなく変動表示を停止し、１つの図柄列の変動表示が継続している場合に、変動表示が継続している１つの図柄列をいずれの位置で停止させてもいずれかの役の入賞が確定し入賞を回避することが不可能と判定手段により判定された場合」に、
　「残りのリールを自動停止させずに、回転を継続させる」ことは、「変動表示中の図柄列についての強制停止手段による変動表示の強制停止を禁止する禁止手段」に、
それぞれ相当する。
　
　したがって、本願発明の記載振りに倣ってまとめると、両者は、「複数個の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて前記各図柄列の変動表示を停止させ、前記複数の図柄列の変動停止後に前記表示部が前記抽選により当選した役に応じた表示状態となった場合に当該役を入賞とする遊技機であって、前記変動開始指示の入力に基づいて計時を開始する計時手段と、前記計時手段による計時時間が予め設定された時間を超えた場合に、前記抽選結果に拘らず前記変動停止後の前記表示部が何れの役にも入賞しない表示状態となるように前記図柄列の変動表示を前記変動停止指示によらず強制的に停止させる強制停止手段と、前記変動開始指示が入力されてから前記計時手段による計時時間が予め設定された時間を超えるまでの間に前記複数の図柄列のうちの少なくとも何れか１つが変動表示を停止した場合に、変動表示を停止した図柄列の停止位置と前記役に応じた表示状態とに基づいて入賞が確定しているか否かを判定する判定手段と、前記判定手段により入賞が確定していると判定された場合に、変動表示中の図柄列についての前記強制停止手段による前記変動表示の強制停止を禁止すると共に、前記複数の図柄列のうちのいずれか１つの図柄列を除く他の図柄列が前記判定手段により入賞が確定していると判定されることなく変動表示を停止し、前記１つの図柄列の変動表示が継続している場合に、前記変動表示が継続している１つの図柄列をいずれの位置で停止させてもいずれかの役の入賞が確定し入賞を回避することが不可能と前記判定手段により判定された場合にも当該変動表示中の図柄列についての前記強制停止手段による前記変動表示の強制停止を禁止する禁止手段と、を備えた遊技機。」である点で一致し、両者の間に相違点は存在しない。
　ゆえに、本件補正発明は、先願発明と同一であり、しかも、本件補正発明の発明者が先願発明の発明者と同一の者であるとも、また、本願の出願の時にその出願人が上記先願の出願人と同一の者であるとも認められないので、本件補正発明は、特許法第２９条の２の規定により、特許を受けることができない。
　
　４　まとめ
　以上のとおりであるから、本件補正は、改正前特許法第１７条の２第５項において準用する同法第１２６条第５項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項１に係る発明（以下「本願発明」という。）は、出願当初明細書の特許請求の範囲の請求項１に記載された事項により特定される次のとおりのものである。
「複数個の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて前記各図柄列の変動表示を停止させ、前記複数の図柄列の変動停止後に前記表示部が前記抽選により当選した役に応じた表示状態となった場合に当該役を入賞とする遊技機であって、前記変動開始指示の入力に基づいて計時を開始する計時手段と、前記計時手段による計時時間が予め設定された時間を超えた場合に、前記抽選結果に拘らず前記変動停止後の前記表示部が何れの役にも入賞しない表示状態となるように前記図柄列の変動表示を前記変動停止指示によらず強制的に停止させる強制停止手段と、前記変動開始指示が入力されてから前記計時手段による計時時間が予め設定された時間を超えるまでの間に前記複数の図柄列のうちの少なくとも何れか１つが変動表示を停止した場合に、変動表示を停止した図柄列の停止位置と前記役に応じた表示状態とに基づいて入賞が確定しているか否かを判定する判定手段と、前記判定手段により入賞が確定していると判定された場合に、変動表示中の図柄列についての前記強制停止手段による前記変動表示の強制停止を禁止する禁止手段と、を備えた遊技機。」
　
　２　刊行物に記載された発明
　原査定の拒絶の理由に引用した先願、先願明細書の記載事項及び先願発明は、前記「第２［理由］２　先願発明」に記載したとおりである。
　
　３　対比および判断
　本願発明は、前記「第２［理由］」において検討した本件補正発明において、禁止手段による強制停止の禁止について、「複数の図柄列のうちのいずれか１つの図柄列を除く他の図柄列が前記判定手段により入賞が確定していると判定されることなく変動表示を停止し、前記１つの図柄列の変動表示が継続している場合に、前記変動表示が継続している１つの図柄列をいずれの位置で停止させてもいずれかの役の入賞が確定し入賞を回避することが不可能と前記判定手段により判定された場合」強制停止を禁止することについての限定を省くものである。
　そうすると、実質的に本願発明の発明特定事項をすべて含み、さらに、他の発明特定事項を付加したものに相当する本件補正発明が、前記「第２［理由］３　対比及び判断」に記載したとおり、先願発明と実質的に同一であるから、本願発明も同様に、先願発明と実質的に同一である。　
　
　４　むすび
　以上のとおりであるから、本願発明は、先願発明と実質的に同一であり、特許法第２９条の２の規定により特許を受けることができない。
　したがって、本願のその他の請求項に係る発明について検討するまでもなく、本願は拒絶すべきものである。
　
　よって、結論のとおり審決する。